(57)【要約】【課題】ＳＮ比の高い音声入力信号を生成することができる音声処理装置を提供する。【解決手段】音声処理装置が、音を第１の信号に変換する音入力部と、前記第１の信号を第２の信号に変換する入力音変換部と、前記第１の信号における性質の判定を行う音質判定部と、警告発生部と、を含み、前記音質判定部は、前記第１の信号における雑音の判定及び前記第１の信号における音声の判定を行い、第１のレベルの値は第２のレベルの値よりも小さい値であるとしたとき、前記入力音変換部は、前記音質判定部の判定結果を基にして、前記第２の信号における前記雑音のレベルが前記第１のレベル以下となるように前記音入力部のゲインの調整を行い、その結果として前記第２の信号における前記音声のレベルが前記第２のレベル以下となるときは、前記警告発生部を用いて警告を発することを特徴とする。【選択図】図１
2013117659.tif 000002
【特許請求の範囲】
【請求項１】
音を第１の信号に変換する音入力部と、
前記第１の信号を第２の信号に変換する入力音変換部と、
前記第１の信号における性質の判定を行う音質判定部と、
警告発生部と、
を含み、
前記音質判定部は、前記第１の信号における雑音の判定及び前記第１の信号における音声の判定を行い、
第１のレベルの値は第２のレベルの値よりも小さい値であるとしたとき、
前記入力音変換部は、前記音質判定部の判定結果を基にして、前記第２の信号における前記雑音のレベルが前記第１のレベル以下となるように前記音入力部のゲインの調整を行い、その結果として前記第２の信号における前記音声のレベルが前記第２のレベル以下となるときは、前記警告発生部を用いて警告を発することを特徴とする音声処理装置。
【請求項２】
更に、音声認識部を有し、
前記第２の信号は、前記音声認識部の入力信号として使用されることを特徴とする請求項１に記載の音声処理装置。
【請求項３】
音を第１の信号に変換する音入力部と、
前記第１の信号を第２の信号に変換する入力音変換部と、
前記第１の信号における性質の判定を行う音質判定部と、
警告発生部と、
を用い、
前記音質判定部において、前記第１の信号における雑音の判定及び前記第１の信号における音声の判定を行い、
第１のレベルの値は第２のレベルの値よりも小さい値であるとしたとき、
前記入力音変換部において、前記音質判定部の判定結果を基にして、前記第２の信号における前記雑音のレベルが前記第１のレベル以下となるように前記音入力部のゲインの調整を行うと共に、前記第２の信号における前記音声のレベルが前記第２のレベル以下となるときは、前記警告発生部を用いて警告を発することを特徴とする音声処理装置の制御方法。
【請求項４】
更に、音声認識部を用い、
前記第２の信号を、前記音声認識部の入力信号として使用することを特徴とする請求項３に記載の音声処理装置の制御方法。
【発明の詳細な説明】
【技術分野】
【０００１】
本発明は、音声処理装置及び音声処理装置の制御方法に関する。
【背景技術】
【０００２】
従来、美術館等で用いられる解説や案内の装置や電話における自動応答に用いられる装置などのように、音声を利用する様々な装置が開発され、使用されている。このような音声を利用する処理装置（以降、音声処理装置と呼ぶ）の中には、利用者の音声を認識し、認識した内容に応じて適切な応答を出力するように開発された音声処理装置が存在する。しかしながら、利用者（話者）の音量が適切でない場合は、正しく音声を取り込むことができず、適切な応答をすることができない状況が発生する可能性がある。
【０００３】
話者の音量でない場合は、話者の音量自体が適切でない場合と音声処理装置自体の設定が適切でない場合とが有り得るが、いずれにおいても話者の音声入力レベルを調整することで対応することができる。例えば、特許文献１には、話者の音声を基に音声信号期間の検出を行い、音声信号期間における音声入力レベルが閾値を越えた場合に入力レベルの設定を変更することが記載されている。
【０００４】
また、音声処理装置に対して適切に音声の入力が出来ているかどうかを知らせることで、話者自身が音声の大きさを変えることができる。話者の音声が適正な入力レベルで入力されたか否かを報知することが、特許文献２に記載されている。
【先行技術文献】
【特許文献】
【０００５】
【特許文献１】特開２００６−１６３３９２号公報
【特許文献２】特開２０００−８１８９１号公報
【発明の概要】
【発明が解決しようとする課題】
【０００６】
特許文献１には音声認識処理が入力された音声からノイズを除去した後に行われると記載されているが、ノイズの入力レベルが高い場合には音声認識が適切に行われない場合がある。また、話者が話した後に入力レベルが適切か否かの報知がされる場合には、話者は改めて最初から音声を発せなければならず手間がかかるとことになる。また、ノイズが原因で入力レベルが適切でないと判断される場合がある。
【課題を解決するための手段】
【０００７】
本発明は、上述の課題若しくは問題の少なくとも一部を解決するためになされたものであり、以下の形態または適用例として実現することが可能である。
【０００８】
［適用例１］
本適用例にかかる音声処理装置は、音を第１の信号に変換する音入力部と、前記第１の信号を第２の信号に変換する入力音変換部と、前記第１の信号における性質の判定を行う音質判定部と、警告発生部と、を含み、前記音質判定部は、前記第１の信号における雑音の判定及び前記第１の信号における音声の判定を行い、第１のレベルの値は第２のレベルの値よりも小さい値であるとしたとき、前記入力音変換部は、前記音質判定部の判定結果を基にして、前記第２の信号における前記雑音のレベルが前記第１のレベル以下となるように前記音入力部のゲインの調整を行い、その結果として前記第２の信号における前記音声のレベルが前記第２のレベル以下となるときは、前記警告発生部を用いて警告を発することを特徴とする。
【０００９】
この構成によれば、音声処理装置が、音入力部、入力音変換部、音質判定部及び警告発生部を含み、音入力部により音が第１の信号に変換され、第１の信号は音質判定部により雑音又は音声の判定を行い、当該判定の結果を入力音変換部に出力し、入力音変換部は第１の信号が雑音である場合に、第１の信号の変換結果である第２の信号のレベルを第１のレベル以下となるように音入力部におけるゲインの調整を行い、その結果として第１の信号が音声のときの第２の信号のレベルが第２のレベル以下となった場合は警告発生部を用いて警告することで、話者の音声を入力するときにおいて第２の信号の状態を話者の音声のときは第２のレベル以上のレベルとし、雑音が入力されたときには第１のレベル以下のレベルとすることができ、その結果として、第２の信号におけるＳＮ比を向上させることができる。
【００１０】
また、警告発生部は、話者にとって認識が容易なものが好ましい。例えば、ランプによる警告、ディスプレイ等の表示機器による警告及びスピーカー等による音声若しくは音による警告などが考えられる。
【００１１】
［適用例２］
上記適用例にかかる音声処理装置において、更に、音声認識部を有し、前記第２の信号は、前記音声認識部の入力信号として使用されることが好ましい。
【００１２】
この構成によれば、第２の信号のＳＮ比が向上することにより、音声認識部における音声認識の確度を高くすることができる。尚、第２のレベルと第１のレベルとの差は１０ｄＢ程度以上あることが好ましい。
【００１３】
［適用例３］
本適用例にかかる音声処理装置の制御方法は、音を第１の信号に変換する音入力部と、前記第１の信号を第２の信号に変換する入力音変換部と、前記第１の信号における性質の判定を行う音質判定部と、警告発生部と、を用い、前記音質判定部において、前記第１の信号における雑音の判定及び前記第１の信号における音声の判定を行い、第１のレベルの値は第２のレベルの値よりも小さい値であるとしたとき、前記入力音変換部において、前記音質判定部の判定結果を基にして、前記第２の信号における前記雑音のレベルが前記第１のレベル以下となるように前記音入力部のゲインの調整を行うと共に、前記第２の信号における前記音声のレベルが前記第２のレベル以下となるときは、前記警告発生部を用いて警告を発することを特徴とする。
【００１４】
この方法によれば、音入力部、入力音変換部、音質判定部及び警告発生部を用い、音入力部により音が第１の信号に変換され、第１の信号における雑音又は音声の判定を音質判定部により行い、当該判定の結果を入力音変換部に出力し、入力音変換部は第１の信号が雑音である場合に、第１の信号の変換結果である第２の信号のレベルを第１のレベル以下となるように音入力部におけるゲインの調整を行い、その結果として第１の信号が音声のときの第２の信号のレベルが第２のレベル以下となった場合は警告発生部を用いて話者に対して警告をすることで、話者の音声を入力するときにおいて第２の信号の状態を話者の音声のときは第２のレベル以上のレベルとし、雑音が入力されたときには第１のレベル以下のレベルとすることができる。その結果として、第２の信号におけるＳＮ比を向上させることができる。
【００１５】
［適用例４］
上記適用例にかかる音声処理装置の制御方法において、更に、音声認識部を用い、前記第２の信号を、前記音声認識部の入力信号として使用することが好ましい。
【００１６】
この方法によれば、第２の信号のＳＮ比が向上することにより、音声認識部における音声認識の確度を高くすることができる。
【図面の簡単な説明】
【００１７】
【図１】音声処理装置のブロック図。
【図２】音声処理装置のブロック図。
【図３】音声処理装置のブロック図。
【図４】雑音及び音声の波形の例を示す図。
【図５】音声処理装置におけるフローチャートを示す図。
【発明を実施するための形態】
【００１８】
以下、本発明の実施形態について図を用いて説明する。尚、説明に用いる図は説明に必要な部分を便宜上示したものであり、本発明を適応した装置の構成要素若しくは処理のすべてを表したものではない。
【００１９】
（第１実施形態）
図１に、音声処理装置１０のブロック図の一部を示す。音声処理装置１０は、音入力部１、入力音変換部２、音質判定部３及び警告発生部４を有する。
【００２０】
音入力部１は、音声処理装置１０外部の音を取り込み第１信号５として入力音変換部２及び音質判定部３に出力する。音入力部１は、音を電気信号に変換し当該電気信号の利得（ゲイン）を調整する機能を有する。第１信号５は、ゲイン調整がされた後の信号である。また、特に本実施形態においては、第１信号５がアナログ信号であるかデジタル信号であるかの限定を行わない。第１信号５がアナログ信号である場合には、音質判定部３及び入力音変換部２において適時デジタル信号への変換が行われる。
【００２１】
音質判定部３は、第１信号５が音声であるか音声でないかの判断を行い、その結果を判定結果信号６として入力音変換部２に通知する。尚、本実施形態においては音質判定部３における判定結果が音声でない場合を雑音であるとする。音声と判断されたときは、音声と雑音の両方が含まれることになる。また、当該判定結果の生成タイミングにより、雑音の期間であっても音声が含まれる場合がある。
【００２２】
警告発生部４は、音声処理装置１０の利用者（話者）が警告を認識できるものであれば、特に限定をする必要はない。スピーカーを用いて音または音声により警告を発してもよく、ランプの点燈若しくは点滅により警告を発してもよい。また、ディスプレイにより視覚的に警告を発するようにしてもよい。
【００２３】
入力音変換部２は、第１信号５に対して所定の変換を行い第２信号８として音声処理装置１０内部に出力する。当該所定の変換の内容は特に限定するものではないが、第２信号８が音声処理装置１０内部で使用するのに適切な形となるものでよい。第２信号８はデジタル信号である。入力音変換部２は、判定結果信号６に基づき第１信号５の内容が音声か雑音かの判断を行うことができる。
【００２４】
入力音変換部２は、第１レベルレジスター及び第２レベルレジスターを有する。第１レベルレジスターには、第２信号８の飽和レベルに対する雑音レベルの上限値（以降、第１レベルと呼ぶ）を示す値が格納されている。また、第２レベルレジスターには、第２信号８の飽和レベルに対する音声レベルの下限値（以降、第２レベルと呼ぶ）を示す値が格納されている。
【００２５】
入力音変換部２は、雑音と判断したときの第２信号８の出力レベルを第１レベルと比較し、第１レベルよりも大きいときには、ゲイン調整信号７を用いて音入力部１に対し、第１信号５に対するゲインを下げるように指示を行う。音入力部１は、ゲイン調整信号７の指示によりゲインの変更が行われることで、第２信号８における雑音のレベルが第１レベル以下となるように調整されることになる。この雑音レベルの調整は話者による音声の入力を始める前に行われるのが好ましい。
【００２６】
入力音変換部２は、音声と判断したときの第２信号８の出力レベルを第２レベルと比較し、第２レベルよりも小さいときは、警告指示信号９を用いて警告発生部４に対し、話者に対して声を大きくしてもらうことを示す警告を行うように指示を行う。警告発生部４は、警告指示信号９により所定の方法により警告を発し、話者に対して声の大きさを上げるよう促す。話者がこれに応じて声の大きさを上げてくれれば、音声と判断したときの第２信号８の出力レベルを第２レベルよりも大きくすることが可能となる。これにより、第２信号８において、雑音のレベルを第１レベル以下とし音声のレベルを第２レベル以上とすることができ、第２信号８におけるＳＮ比を所定の値以上にすることが可能となる。尚、第１レベル及び第２レベルは、第２信号８を用いて処理を行う部分に合わせて設定することでよい。
【００２７】
図４に音が電気信号に変換されたときの波形の例を示す。図４で示した波形は、第１信号５がアナログ信号の場合には第１信号５としての波形となるかもしれない（上述したように本実施形態では特に規定していない）が、第１信号５がデジタル信号の場合は音入力部１内部における信号である。
【００２８】
図４に示した横軸ｔは時間の推移を示し、縦方向の変化は電圧の変化を示す。図４に雑音と判定された期間及び音声と判定された期間を示している。音声と判定された期間には、例えばＴ２及びＴ３のように、実際には雑音だけとなる期間が含まれる。Ｔ３は音質判定部３が話者による発話が終了したと判定するのに必要な期間であり、Ｔ２は話者による発話の合間の期間である。Ｔ３はＴ２より長い期間とする必要がある。入力音変換部２におけるレベルの判定においても、このような期間を考慮して判定を行う必要がある。これに対応するためには、例えば、判定結果信号６が音声としての判定を示す期間であっても、第２信号８のレベルが第１レベル以下となる場合には音声と見做さず第２レベルに対しての判定を行わないことにすればよい。また、雑音と判定される期間であっても、Ｔ１で示す期間のように音声が含まれる場合がある。Ｔ１の期間は、音声と判断するために要する期間と見ることができる。従って、雑音として判定されている期間であっても、第２信号８のレベルが第１レベルを超える期間が当該音声と判断するために要する期間よりも短い場合においては、雑音が第１レベルを超えているという判断をしないことにすればよい。
【実施例１】
【００２９】
図２に、音声処理装置１００のブロック図を示す。音声処理装置１００は、話者Ａとの対話形式で処理を行うことができる装置である。音声処理装置１００は、話者Ａの音声を入力する機能及び話者Ａに対して音声を出力する機能を有する。
【００３０】
音声処理装置１００は、音入力調整部１５０、音質判定部１３０、入力音変換部１２０、音声認識部１７０、音声合成部１６０、音出力部１６１、マイク部１５１及びスピーカー部１６２を有する。
【００３１】
音入力調整部１５０及びマイク部１５１は、上述した音入力部１に対応する部分である。第１信号１１５を出力すると共に、ゲイン調整信号１１７に応じて第１信号１１５のゲインを変更する。
【００３２】
音質判定部１３０は、上述した音質判定部３に対応する部分である。第１信号１１５に対する音声の判定を行う。判定結果は、判定結果信号１１６として入力音変換部１２０に通知される。
【００３３】
入力音変換部１２０は、音声認識部１７０が処理を行うのに必要な第２信号１１８を生成する部分であり、上述した入力音変換部２に対応する部分である。判定結果信号１１６に基づく期間を判定し、第１信号１１５における雑音のレベルを第１レベル以下とするようにゲイン調整信号１１７を出力し、音声のレベルが第２レベル以上となるように話者Ａに警告を発するための警告指示信号１１９を音声合成部１６０に出力する。本実施例においては、話者Ａとの対話のためにスピーカー部１６２を有することから、話者Ａに対する警告はスピーカーからの音声により行われる。音声合成部１６０は、警告指示信号１１９により警告が指示されると、例えば「もう少し声を大きくしてね」という音声の生成を行い、音声合成信号１１２として音出力部１６１に対して出力すると、音出力部１６１によりスピーカー部１６２が適切に駆動され、話者Ａに対して警告を音声として伝えることができる。
【００３４】
音声認識部１７０は、第２信号１１８を用いて音声認識の処理を行うと共に、音声処理装置１００全体の制御を行う部分である。音声処理装置１００全体の制御に必要なプログラムや話者Ａとの対話を行うための対話シナリオ制御のプログラムなどは音声認識部１７０により実行される。話者Ａに対して話しかける音声データは、対話シナリオ制御のプログラムを実行する中で音声認識部１７０から音声合成指示信号１１１により音声合成部１６０に与えられる。尚、特に図示してはいないが、音声処理装置１００内の制御に必要な制御信号、割込み信号、ステータス信号及びエラー信号等は音声認識部１７０から音声処理装置１００内部の必要なところに接続されているものとする。
【００３５】
音声合成部１６０は、上述したように警告指示信号１１９により指示された場合には、話者Ａに対して発する音声は自動生成し音出力部１６１に対してスピーカー部１６２から出力するための制御を行うが、これ以外の場合は、音声合成指示信号１１１により指示された内容で音声を合成し、音出力部１６１に対してスピーカー部１６２から出力するための制御を行う。
【００３６】
上述した入力音変換部１２０の機能により第２信号１１８におけるＳＮ比が音声認識を行うのに適した値に調整されていることから、音声認識部１７０において確度の高い音声認識の処理を行うことができる。本実施例の場合、第２信号１１８におけるＳＮ比は１０ｄＢ程度以上であれば十分である。
【００３７】
次に、フローチャートを用いて、音声処理装置１００における処理について説明する。図５−（ａ）にメインのフローチャート３００を、図５−（ｂ）にサブのフローチャート４００を示す。フローチャート３００は、音声認識部１７０において実行される処理であり、フローチャート４００は入力音変換部１２０において実行される処理である。
【００３８】
まず、音声処理装置１００の電源が投入されると、ハードウェアとして設定されたパワーオンリセットが実行され、その後音声認識部１７０によって初期設定プログラムが実行され、音声処理装置１００としての初期設定が終了する（Ｓ００１）。また、音声処理装置１００と話者Ａとの対話に必要なモード設定や対話シナリオの設定などもここで行われる。
【００３９】
次に、音声認識部１７０は、入力音変換部１２０に対して入力レベル設定の開始を指示し（Ｓ００２）、音入力調整部１５０におけるゲインの調整が終了したかどうかの通知を待つ（Ｓ００３）。ゲインの調整の終了の通知は入力音変換部１２０から音声認識部１７０に対して行われる。
【００４０】
次に、音声処理装置１００は対話シナリオの実行開始の指示を待ち（Ｓ００４）、話者Ａなどの操作により、対話シナリオの実行の開始の指示が行われると対話シナリオの実行の制御が行われ（Ｓ００５）、対話シナリオの実行が終了すると、装置としての処理を終了するかどうかの判断がなされ（Ｓ００６）、終了でないならば入力音設定の処理（Ｓ００２）に戻り、終了の場合は装置としての処理を終了する。尚、対話シナリオ処理、及び、対話シナリオ処理の中で行われる音声認識処理の具体的にフローに関しては本実施例における説明を省略する。
【００４１】
上述したように、入力音レベル設定開始の指示は、音声認識部１７０から入力音変換部１２０に対して行われる（Ｓ００２）。これにより、入力音変換部１２０は、入力音レベル設定の処理を開始する。フローチャート４００は、この入力音レベル設定の処理を示したものである。
【００４２】
まず、入力音変換部１２０は、音声認識部１７０の指示を受けて第１信号１１５の入力をイネーブルとする（Ｓ１０１）。次に、音質判定部１３０からの判定結果信号１１６により雑音が入力されているかどうかを判断する（Ｓ１０２）。
【００４３】
雑音が入力されている場合には、第２信号１１８として出力する場合に雑音のレベルが第１レベル以下となっているかどうかを判定し（Ｓ１０３）、第１レベル以下でない場合にはゲイン調整信号１１７により音入力調整部１５０に指示を行いゲインの調整を行う（Ｓ１０５）。その後再び第２信号１１８として出力する場合に雑音のレベルが第１レベル以下となっているかどうかを判断する（Ｓ１０３）。
【００４４】
雑音のレベルが第１レベル以下となったことが確認できると、ゲイン設定が終了したことを音声認識部１７０に通知する（Ｓ１０４）。音声認識部１７０は、処理Ｓ１０４の通知を受けて処理Ｓ００３から処理Ｓ００４に処理が進むことになる。
【００４５】
ゲインの設定が終わると、第１信号１１５が音声であるか雑音であるかの判定が行われる（Ｓ１０６）。第１信号１１５が音声と判定された場合には、第２信号１１８における音声のレベルの判定の処理（Ｓ１０７）に進み、そうでない場合は雑音のレベルの判定の処理（Ｓ１０９）に進む。
【００４６】
第１信号１１５が音声と判定された場合には、音声のレベルが第１レベルと第２レベルとの間にあるかどうかの判定が行われ（Ｓ１０７）、第１レベルと第２レベルとの間にある場合には警告発生の処理（Ｓ１０８）に進み音声合成部１６０に対して警告指示信号１１９により警告発生の指示がなされる。音声のレベルが第２レベル以上若しくは第１レベル以下（言葉の合間における雑音）のいずれかと判定しレベルの設定に問題なしと判断して、処理Ｓ１０６に戻る。
【００４７】
また、第１信号１１５が雑音と判定された場合には、第２信号１１８における雑音のレベルが第１レベルよりも大きいかどうかの判定が行われ（Ｓ１０９）、大きい場合には音入力調整部１５０に対してゲインの調整の指示（Ｓ１１０）が行われる。そうでない場合にはレベルの設定に問題なしと判断して処理Ｓ１０６に戻る。
【００４８】
尚、入力音変換部１２０内の第１レベルレジスター及び第２レベルレジスターの値の設定は、フローチャート３００に示した処理Ｓ００１において行われている。また、入力音変換部１２０は、第１信号１１５に対する信号変換処理も行うものであり、入力音変換部１２０における処理はフローチャート４００に示した処理に限られるものではない。
【００４９】
（第２実施形態）
図３に、音声処理装置２００のブロック図を示す。話者Ｂとの対話形式で処理を行うことができる装置である。音声処理装置２００は、話者Ｂの音声を入力する機能及び話者Ｂに対して音声を出力する機能を有する。本実施形態は、第１実施形態における第１信号５若しくは第１信号１１５をデジタル信号とし、入力音変換部２（若しくは入力音変換部１２０）及び音質判定部３（若しくは音質判定部１３０）をひとつのブロック（処理信号生成部２２０）として構成した場合のものである。尚、本実施形態における説明において、第１実施形態の説明で用いた用語と同じ用語を用いているときは、その用語の意味は同じものであるとする。
【００５０】
音声処理装置２００は、入力信号生成部２１０、処理信号生成部２２０、出力信号生成部２３０、音声合成部２４０、音声認識部２５０、マイク部２１３及びスピーカー部２３４を有する。音声認識部２５０は、第２信号２５により伝搬される信号に対する音声認識の処理を行うとともに、音声処理装置２００全体の制御を司る部分である。また、音声合成部２４０は、話者Ｂに対して発するための音声信号を合成する部分であり、その音声信号を合成する処理は音声認識部２５０からの音声合成指示信号５１により指示される。音声合成部２４０で合成された音声信号は、音声合成信号４１として出力信号生成部２３０に伝達される。
【００５１】
入力信号生成部２１０は、入力アンプ部２１１及びアナログ−デジタル変換回路２１２（以降、ＡＤＣ２１２と呼ぶ）を有する。話者Ｂの音声を含む音はマイク部２１３より入力され入力信号９１に変換されて入力アンプ部２１１に入力される。入力アンプ部２１１は、入力信号９１に所定のゲインを施し増幅信号１１としてＡＤＣ２１２に出力する。ＡＤＣ２１２は、増幅信号１１に対してアナログ−デジタル変換を行い、第１信号１２として処理信号生成部２２０に出力する。所定のゲインは、ゲイン調整信号２６の値により規定される。
【００５２】
処理信号生成部２２０に出力された第１信号１２は、ＦＦＴ回路部２２１により周波数成分信号２１に変換され、ピークレベル算出部２２４、音声検出部２２２及び第２信号生成部２２５に出力される。
【００５３】
音声検出部２２２は、周波数成分信号２１を解析し第１信号１２が音声であるかどうかの判定を行い、当該判定の結果を判定結果信号２２として第２信号生成部２２５に出力する。
【００５４】
ピークレベル算出部２２４は、周波数成分信号２１のピークレベルを計算する部分であり、当該ピークレベルをピークレベル信号２３として第２信号生成部２２５に出力する。
【００５５】
第２信号生成部２２５は、周波数成分信号２１を基にして、音声認識部２５０で使用する第２信号２５を生成する部分である。また、第１レベルレジスター及び第２レベルレジスターは第２信号生成部２２５に含まれる。第２信号生成部２２５は、判定結果信号２２により、周波数成分信号２１が音声または音声でないかを判定することが出来、また、ピークレベル信号２３の値により、このときの周波数成分信号２１のピークレベルを知ることができる。これにより、第２信号生成部２２５は、当該ピークレベルが、第２信号２５においてどの程度のレベルになるかを算出することができる。
【００５６】
判定結果信号２２の値が音声でないという判定結果を示す場合は、第２信号生成部２２５は、周波数成分信号２１として入力されている信号が雑音であると見做し、第１レベルレジスターの値とピークレベル信号２３の値から算出される第２信号２５における雑音レベルとを比較し、雑音レベルが第１レベルレジスターで示される値よりも高いときは、所定のゲイン変更量を示す値をゲイン調整信号２６として入力アンプ部２１１に出力する。
【００５７】
判定結果信号２２の値が音声であるという判定結果を示す場合は、第２信号生成部２２５は、周波数成分信号２１として入力されている信号が音声であると見做し、第２レベルレジスターの値とピークレベル信号２３の値から算出される第２信号２５における音声レベルとを比較し、音声レベルが第２レベルレジスターで示される値よりも低いときは、警告指示信号２４により出力信号生成部２３０に対して警告を通知する。
【００５８】
出力信号生成部２３０は、出力信号設定部２３３、デジタル−アナログ変換回路２３２（以降、ＤＡＣ２３２と呼ぶ）及び出力アンプ部２３１を含む。出力信号設定部２３３は、通常は音声合成信号４１により伝達される信号をＤＡＣ２３２に出力するが、警告指示信号２４により警告が通知されたときは、所定の音声合成信号をＤＡＣ２３２に対して出力する。ここで、所定の音声合成信号とは、例えば、「もう少し声を大きくしてください」という音声をスピーカー部２３４から話者Ｂに対して出力することができる信号でよい。出力信号設定部２３３から出力された信号はＤＡＣ２３２によりアナログ信号に変換され、出力アンプ部２３１を経てスピーカー部２３４から話者Ｂに対する音声（警告）として出力される。
【００５９】
よって、音声処理装置２００における第２信号２５における雑音のレベルの調整は、自動的に行われ、話者Ｂが警告に従い声を大きくすることで、第２信号２５におけるＳＮ比は適切なものとなり、音声認識部２５０における音声認識の確度を高めることができる。
【００６０】
以上、本発明にかかる適用例並びに実施形態の説明を行ったが、本発明の実施は上述した形態に限られるものではない。例えば、第１レベル及び第２レベルと比較を行う信号のレベルを、信号のパワーレベル（例えば、所定単位時間における信号レベルの２条平均値）としてもよい。この場合は、上述したＴ１、Ｔ２及びＴ３の期間の長さなどの規定は比較される信号の持つ意味により適切に設定されることになる。このように、本発明は、本発明の趣旨を逸脱しない範囲において広く適用が可能である。
【符号の説明】
【００６１】
１…音入力部、２…入力音変換部、３…音質判定部、４…警告発生部、５…第１信号、６…判定結果信号、７…ゲイン調整信号、８…第２信号、９…警告指示信号、１０…音声処理装置、１１…増幅信号、１２…第１信号、２１…周波数成分信号、２２…判定結果信号、２３…ピークレベル信号、２４…警告指示信号、２５…第２信号、２６…ゲイン調整信号、４１…音声合成信号、５１…音声合成指示信号、９１…入力信号、１００…音声処理装置、１１１…音声合成指示信号、１１２…音声合成信号、１１５…第１信号、１１６…判定結果信号、１１７…ゲイン調整信号、１１８…第２信号、１１９…警告指示信号、１２０…入力音変換部、１３０…音質判定部、１５０…音入力調整部、１５１…マイク部、１６０…音声合成部、１６１…音出力部、１６２…スピーカー部、１７０…音声認識部、２００…音声処理装置、２１０…入力信号生成部、２１１…入力アンプ部、２１２…アナログ−デジタル変換回路（ＡＤＣ）、２１３…マイク部、２２０…処理信号生成部、２２１…ＦＦＴ回路部、２２２…音声検出部、２２４…ピークレベル算出部、２２５…第２信号生成部、２３０…出力信号生成部、２３１…出力アンプ部、２３２…デジタル−アナログ変換回路（ＤＡＣ）、２３３…出力信号設定部、２３４…スピーカー部、２４０…音声合成部、２５０…音声認識部、３００…フローチャート、４００…フローチャート。
【図１】
2013117659.tif 000003
【図２】
2013117659.tif 000004
【図３】
2013117659.tif 000005
【図４】
2013117659.tif 000006
【図５】
2013117659.tif 000007